(57)【要約】【課題】用紙搬送時に負荷変動が生じたとしてもスキューなどを生じることなく用紙を正常に搬送することのできる用紙搬送装置を得る。【解決手段】積載されている用紙を１枚ずつ捌いて送り出す給紙ローラ１１と、該給紙ローラ１１から送り出された用紙Ｓを所定方向に搬送するレジストローラ２０とを備えた用紙搬送装置。レジストローラ２０は主ローラ２１と該主ローラ２１からギヤ２３，２７を介して回転駆動力を伝達される副ローラ２５とからなる。副ローラ２５は板ばね３５によって主ローラ２１に対して所定の荷重で圧接している。用紙Ｓの負荷が増大すると副ローラ２５は主ローラ２１から離間する方向に搖動しようとするが、このとき、板ばね３５による副ローラ２５への荷重が増大し、副ローラ２５の主ローラ２１に対する圧接が保持される。【選択図】図２
2010184797.tif 000002
【特許請求の範囲】
【請求項１】
積載されている用紙を１枚ずつ捌いて送り出す給紙ローラと、該給紙ローラから送り出された用紙を所定方向に搬送する搬送ローラ対とを備えた用紙搬送装置において、
前記搬送ローラ対は一端から回転駆動力を伝達される主ローラと、該主ローラからギヤを介して回転駆動力を伝達される副ローラとからなり、前記副ローラは前記主ローラの軸部を支点として搖動可能であり、
前記副ローラを前記主ローラに対して圧接させる荷重付与部材を備え、
前記荷重付与部材は前記副ローラが前記主ローラから離間する方向に搖動する際に主ローラへの圧接荷重が増大するように作用すること、
を特徴とする用紙搬送装置。
【請求項２】
前記荷重付与部材は板ばねであることを特徴とする請求項１に記載の用紙搬送装置。
【請求項３】
前記荷重付与部材はコイルばねを含むワイヤであることを特徴とする請求項１に記載の用紙搬送装置。
【発明の詳細な説明】
【技術分野】
【０００１】
本発明は、用紙搬送装置、特に、電子写真方式による画像形成装置において用紙を１枚ずつ給紙するための用紙搬送装置に関する。
【背景技術】
【０００２】
一般に、複写機やプリンタなど電子写真方式による画像形成装置にあっては、１枚ずつ給紙された用紙を整合し、トナー像の担持体（感光体ドラムや中間転写ベルトなど）に担持されたトナー像と転写タイミングを合わせるために、給紙ローラとトナー像担持体との間にレジストローラが配置されている。このレジストローラは、一端から回転駆動力を伝達される主ローラと、該主ローラからギヤを介して回転駆動力を伝達される副ローラとで構成されている。そして、レジストローラがトナー像担持体に対して平行に配置されていない場合や、主ローラと副ローラの軸方向に不均一な搬送力が発生した場合には用紙のスキュー（斜行）や転写される像に歪みが生じるなどの不具合が発生する。
【０００３】
特許文献１には、像担持体とレジストローラの支軸が平行に設置されていない場合でも支軸位置の調整を容易に行えるようにする機構が記載されている。
【０００４】
ところで、特許文献１に記載の画像形成装置及び従来の一般的な画像形成装置の用紙給紙部において、給紙された用紙はレジストローラ及び給紙ローラで挟持して搬送される。そして、用紙の多重送りを防止するために、用紙の後端部残り１〜５ｃｍ程度が給紙ローラを通過する時点で給紙ローラの回転が停止される。このように、搬送途中で給紙ローラの回転が停止すると、下流側で用紙を挟持しているレジストローラに急激な負荷変動（負荷が大きくなる）が生じ、用紙にスキューが生じたり、転写される像に歪みが生じる。具体的には、用紙が給紙ローラ側に引っ張られ副ローラが主ローラから離間する方向に移動し、用紙に対する搬送力が低下し、スキューの原因となっている。
【先行技術文献】
【特許文献】
【０００５】
【特許文献１】特開平６−１８３６０７号公報
【発明の概要】
【発明が解決しようとする課題】
【０００６】
そこで、本発明の目的は、用紙搬送時に負荷変動が生じたとしてもスキューなどを生じることなく用紙を正常に搬送することのできる用紙搬送装置を提供することにある。
【課題を解決するための手段】
【０００７】
以上の目的を達成するため、本発明の一形態である用紙搬送装置は、
積載されている用紙を１枚ずつ捌いて送り出す給紙ローラと、該給紙ローラから送り出された用紙を所定方向に搬送する搬送ローラ対とを備えた用紙搬送装置において、
前記搬送ローラ対は一端から回転駆動力を伝達される主ローラと、該主ローラからギヤを介して回転駆動力を伝達される副ローラとからなり、前記副ローラは前記主ローラの軸部を支点として搖動可能であり、
前記副ローラを前記主ローラに対して圧接させる荷重付与部材を備え、
前記荷重付与部材は前記副ローラが前記主ローラから離間する方向に搖動する際に主ローラへの圧接荷重が増大するように作用すること、
を特徴とする。
【発明の効果】
【０００８】
本発明によれば、給紙ローラの回転が停止されると、レジストローラに対する用紙の負荷が大きくなり、副ローラが主ローラから離間しようとするが、荷重付与部材による主ローラに対する副ローラの圧接荷重が大きくなるので、主ローラに対する副ローラの圧接力（用紙搬送力）の低下がほとんどなく、用紙はスキューを生じたりすることなく、正常な搬送が継続される。
【図面の簡単な説明】
【０００９】
【図１】画像形成装置における用紙給紙部分の一例を示す断面図である。
【図２】本発明に係る用紙搬送装置の一実施例を示す斜視図である。
【図３】前記用紙搬送装置におけるレジストローラの一端部を示す斜視図である。
【図４】前記レジストローラの一端部を示す立面図である。
【図５】前記レジストローラのギヤの噛み合いを示す説明図である。
【図６】荷重付与部材の他の例を示す立面図である。
【発明を実施するための形態】
【００１０】
以下、本発明に係る用紙搬送装置の実施例について、添付図面を参照して説明する。
【００１１】
図１及び図２を参照して電子写真方式による画像形成装置の給紙部分を説明する。多数枚の用紙を積載収容する給紙トレイ１０の給紙方向（矢印ａ参照）先端部にモータ１５によって駆動される給紙ローラ１１と該給紙ローラ１１に圧接する捌きローラ１２とが設置されている。用紙は、給紙ローラ１１の回転に基づいて、捌きローラ１２との摩擦力で１枚ずつに捌かれ矢印ｂ方向に給紙され、ガイド板１３，１４に沿って給紙される。
【００１２】
搬送方向ｂの下流側には、主ローラ２１と副ローラ２５とからなるレジストローラ２０が配置されている。レジストローラ２０は給紙されてきた用紙の先端を一旦受け止め、スキューを補正して、かつ、図示しない感光体ドラムや中間転写ベルトなどのトナー像担持体上に形成された像と転写タイミングを合わせて用紙を搬送する。図２は用紙Ｓを搬送途中の状態を示している。
【００１３】
主ローラ２１は軸部２２の一端２２ａに回転駆動力が伝達され、他端２２ｂに取り付けたギヤ２３が副ローラ２５の軸部２６の他端に取り付けたギヤ２７と歯合している。従って、主ローラ２１に伝達された回転力はギヤ２３，２７を介して副ローラ２５に伝達される。
【００１４】
主ローラ２１は位置が固定されている。副ローラ２５は、主ローラ２１に対して連結部材３０を介して取り付けられ、軸部２２を支点として搖動可能である。副ローラ２５の軸部２６は連結部材３０の穴３１内で移動自在に遊嵌されている。なお、図３では一端部しか図示していないが、連結部材３０はローラ２１，２５の両端部に設置されている。また、図２において連結部材３０の図示は省略されている。さらに、軸部２６は連結部材３０の穴３１に必ずしも遊嵌している必要はない。
【００１５】
図２及び図３に示すように、副ローラ２５の軸部２６の両端にはカラー２８が回転自在に取り付けられ、該カラー２８には板ばね３５の先端部が圧接している。板ばね３５の下端基部は図示しない筺体に固定され、先端は自由端である。板ばね３５はカラー２８に弾性的に圧接することで、副ローラ２５を一定の荷重で主ローラ２１に対して圧接させている。この荷重は例えば１０Ｎである。
【００１６】
ここで、前記給紙部分（用紙搬送装置）の動作について説明する。給紙ローラ１１が起動されると、用紙Ｓが１枚ずつ捌かれて給紙され、給紙ローラ１１とレジストローラ２０とで用紙Ｓが搬送される。該用紙Ｓの後端が給紙ローラ１１を通過する直前で給紙ローラ１１の回転が停止される。このとき、用紙Ｓはレジストローラ２０と給紙ローラ１１及び捌きローラ１２に挟持されているので、レジストローラ２０に対する負荷が大きくなり、ギヤ２７がギヤ２３との噛み合いから離脱する方向（図４の矢印ｃ参照）に搖動しようとする。
【００１７】
即ち、用紙Ｓからの負荷Ｆ’が増大すると主ローラ２１のトルクＦも増大し、ギヤ２７がギヤ２３から離間しようとし、ローラ２１，２５の圧接力が減少あるいは不安定になる。特に、トルクＦはギヤ２３，２７間で生じるので、ローラ２１，２５の一端側よりも他端側で大きくなり、用紙搬送力がローラ２１，２５の軸方向に不均一となる。
【００１８】
本実施例においては、副ローラ２５の軸部を板ばね３５によって弾性的に荷重を付与しているので、副ローラ２５が主ローラ２１から離間する方向に搖動すると、板ばね３５が図４で点線で示すように撓んで反発力が増大し、副ローラ２５を主ローラ２１側に押し戻す。これにて、ギヤ２３，２７の噛み合い状態が保たれ、主ローラ２１に対する副ローラ２５の圧接力（用紙搬送力）の低下や軸方方向のばらつきが解消される。ひいては、用紙にストレスが作用してスキューが生じること、用紙に転写されるトナー像に歪みが生じることが防止される。
【００１９】
図６に、荷重付与部材の他の例を示し、前記板ばね３５に代えて、両端にコイルばね４２ａ，４２ｂを備えたワイヤ４１を用いている。ワイヤ４１は前記カラー２８の外周部に巻回され、コイルばね４２ａは図示しない筺体に設けたブラケット５０に固定され、コイルばね４２ｂは連結部材４５の穴４６に係止されている。連結部材４５は、前記連結部材３０と同様に、副ローラ２５を主ローラ２１の軸部２２を支点として搖動可能に保持している。
【００２０】
ワイヤ４１の作用は、基本的には前記板ばね３５と同様であり、用紙からの負荷が変動（増大）したときに、副ローラ２５への圧接荷重を増大させ、用紙のスキューなどを未然に解消する。
【００２１】
（他の実施例）
なお、本発明に係る用紙搬送装置は前記実施例に限定するものではなく、その要旨の範囲内で種々に変更できる。
【００２２】
特に、給紙ローラや捌きローラの構成の細部や、荷重付与部材、連結部材の細部の構成は任意である。
【産業上の利用可能性】
【００２３】
以上のように、本発明は、用紙搬送装置に有用であり、特に、用紙搬送時に負荷変動が生じたとしてもスキューなどを生じることなく用紙を正常に搬送することができる点で優れている。
【符号の説明】
【００２４】
１１…給紙ローラ
２０…レジストローラ
２１…主ローラ
２３…ギヤ
２５…副ローラ
２７…ギヤ
３０…連結部材
３５…板ばね
４１…ワイヤ
４２ａ，４２ｂ…コイルばね
４５…連結部材
Ｓ…用紙
【図１】
2010184797.tif 000003
【図２】
2010184797.tif 000004
【図３】
2010184797.tif 000005
【図４】
2010184797.tif 000006
【図５】
2010184797.tif 000007
【図６】
2010184797.tif 000008